Podtech/llm-jp-corpus-v4-ja_patent huggingface dataset:
【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
フィルムの対向端部を保持しながら流れ方向に沿って伸張機内で前記フィルムを搬送するステップと、
末広がりの経路に沿って前記対向端部を移動させることにより前記伸張機の伸張領域内で前記フィルムを伸張して前記フィルムの延伸領域を形成するステップと、
前記フィルムの前記延伸領域の前記対向端部を解放するステップと、
前記対向端部を解放するステップの前に、各前記対向端部内に位置する対向取り出し領域において前記フィルムの前記延伸領域を把持して前記延伸フィルムを前記伸張領域から取り出すステップとを含むフィルムを処理する方法。
【請求項２】
前記対向端部領域と前記対向取り出し領域との間で前記フィルムの前記延伸領域を切断して前記末広がりの経路に沿って連続する耳を形成するステップをさらに含む請求項１に記載の方法。
【請求項３】
前記伸張機の伸張領域内で前記フィルムを伸張するステップが、末広がりの実質的に放物線状の経路に沿って前記対向端部を移動させることにより前記伸張機の前記伸張領域内で前記フィルムを伸張して前記フィルムの前記延伸領域を形成するステップを含む請求項１に記載の方法。
【請求項４】
フィルムの対向端部を保持しながら流れ方向に沿って伸張機内で前記フィルムを搬送するステップと、
末広がりの経路に沿って前記対向端部を移動させることにより前記伸張機の伸張領域内で前記フィルムを伸張して延伸フィルムを形成するステップと、
前記対向端部領域と対向取り出し領域との間で前記延伸フィルムを切断して、残りの前記延伸フィルムが前記流れ方向に搬送される間に前記末広がりの経路に沿って連続する耳を形成するステップと、
前記延伸フィルムの前記対向端部を解放するステップとを含むフィルムを処理する方法。
【請求項５】
各前記対向端部内の対向取り出し領域において前記延伸フィルムを把持するステップをさらに含む請求項４に記載の方法。
【請求項６】
前記伸張機の伸張領域内で前記フィルムを伸張するステップが、末広がりの実質的に放物線状の経路に沿って前記対向端部を移動させることにより前記伸張機の前記伸張領域内で前記フィルムを伸張して前記フィルムの前記伸張領域を形成するステップを含む請求項４に記載の方法。
【請求項７】
フィルムを処理する装置であって、
前記フィルムの対向端部を保持するとともに駆動部材の作用下で流れ方向に沿って前記装置の伸張領域内で前記フィルムを搬送する把持部材を含み、該把持部材が移動して前記フィルムを伸張する末広がりの経路を提供するようにその一部分が構成且つ配置されている搬送機と、
前記搬送機から前記フィルムを受け取るとともに、所望量の伸張後に前記フィルムの対向取り出し領域を把持して前記流れ方向に前記フィルムを搬送するための把持部材を含む独立取り出し装置とを含む装置。
【請求項８】
前記対向端部領域と前記対向取り出し領域との間で前記フィルムの前記延伸部分を切断するように前記装置内に配置され、残りの前記フィルムの前記延伸部分が前記流れ方向に搬送される間に前記末広がりの経路に沿って連続する耳を形成する切断部材をさらに含む請求項７に記載の装置。
【請求項９】
前記末広がりの経路が実質的に放物線状である請求項８に記載の装置。
【請求項１０】
前記フィルムが前記対向取り出し領域で把持されている間の前記フィルムの取り出し速度が前記伸張領域内の前記フィルムの速度より速い請求項１に記載の方法。
【請求項１１】
前記フィルムは、異なる高分子組成の複数の交互層を有する多層フィルムを含む、請求項１〜６のいずれかに記載の方法。
【請求項１２】
前記延伸フィルムは、反射型偏光板フィルムを含む、請求項１〜６のいずれかに記載の方法。
【請求項１３】
請求項１〜６のいずれかに記載の方法に従って形成される光学フィルム。
【手続補正書】
【提出日】平成17年5月16日(2005.5.16)
【手続補正１】
【補正対象書類名】特許請求の範囲
【補正対象項目名】全文
【補正方法】変更
【補正の内容】
【特許請求の範囲】
【請求項１】
運行計画に従って複数の荷物に対する荷物の配達前積込みを行う方法であって、前記複数の荷物の各々はラベル住所を含む第１の出荷ラベルを有し、前記運行計画は特定の地域に対する作業の複数の配達車両への割当を含み、前記配達車両の各々は前記地域内の１つのサービス地域を担当し、前記配達車両の各々は複数の荷物積込み場所を含み、
前記運行計画を配達前積込み支援システムに電子形式で送るステップと、
前記第１の出荷ラベルから前記配達先住所を電子的に取り込むものであって、前記配達先住所は前記ラベル住所に少なくとも部分的に基づくステップと、
前記配達前積込み支援システムによって、前記複数の配達車両から１つの選択車両を割り当て、前記選択車両は前記配達先住所に少なくとも部分的に基づくステップと、
前記配達前積込み支援システムによって、前記複数の荷物積込み場所から１つの選択荷物積込み場所を割り当て、前記選択荷物積込み場所は前記配達先住所に少なくとも部分的に基づくステップと、
処理の指示を含む第２の出荷ラベルを生成し、前記処理の指示は前記選択車両及び前記選択積込み位置を示すステップと、
前記第２の出荷ラベルを前記荷物に貼り付けるステップと、
前記荷物を前記処理指示に従って積み込むステップと、
を含む方法。
【請求項２】
前記配達先住所を電子的に取り込むステップが、前記第１の出荷ラベル上の記号を走査するステップを含み、前記ラベル住所は前記記号の中に符号化されている請求項１記載の方法。
【請求項３】
前記配達先住所を電子的に取り込むステップが、圧縮されたマキシコード（ＭａｘｉＣｏｄｅ）記号を走査するステップを含み、前記ラベル住所は前記圧縮されたマキシコード記号の中に圧縮されている請求項１記載の方法。
【請求項４】
前記配達先住所を電子的に取り込むステップが、無線周波数の識別タグに問い合わせるステップを含み、前記ラベル住所は前記タグの中に符号化されている請求項１記載の方法。
【請求項５】
前記選択車両を割り当てるステップは、前記配達先住所と、１以上の前記配達車両によって提供される前記サービス地域とを比較するステップを含む請求項１記載の方法。
【請求項６】
前記選択荷物積込み場所を割り当てるステップは、前記選択車両の１つの棚または棚上の１つの場所に選択荷物積込み場所を割り当てるステップを含む請求項１記載の方法。
【請求項７】
前記第２の出荷レベルを生成するステップは、選択車両識別記号、選択荷物場所識別記号、さらに（ａ）サービス・レベル識別記号および／または（ｂ）指定時間を生成するステップをさらに含む請求項１記載の方法。
【請求項８】
前記第２出荷ラベルを貼り付けるステップは、前記第２出荷ラベルを前記荷物に貼り付けるラベル貼付装置を提供するステップを含む請求項１記載の方法。
【請求項９】
前記処理の指示に従って前記荷物を積み込むステップは、前記荷物を最終的に前記選択車両に到達する１以上の仕分けベルトに載せるステップを含む請求項１記載の方法。
【請求項１０】
前記配達前積込み支援システムからの前記配達先住所を住所検証ルーチンに渡して前記配達先住所が有効な住所であることを確認するステップをさらに含む請求項１記載の方法。
【請求項１１】
前記住所検証ルーチンがエラーを返したときは、前記配達先住所を、前記第１の出荷ラベルに印刷されたラベル住所と比較して調べるようにユーザが促される請求項１１記載の方法。
【請求項１２】
運行計画に従って荷物の配達前積込みを行うシステムであって、複数の荷物の各々はラベル住所を含む第１の出荷ラベルを有し、前記運行計画は特定の地域に対する作業の複数の配達車両への割当を含み、前記配達車両の各々は前記地域内の１つのサービス地域を担当し、前記配達車両の各々は複数の荷物積込み場所を含み、
前記荷物の前記第１の出荷ラベルを読んで前記配達先住所を取り込み、前記配達先住所は前記ラベル住所に少なくとも部分的に基づく荷物走査装置と、
前記荷物走査装置と電子的に通信し、前記配達先住所を受け取り少なくとも前記配達先住所を前記運行計画と比べて荷物処理指示を生成する配達前積込み支援ツールと、
前記荷物処理指示を含む第２の出荷ラベルを生成するラベル生成装置と、
を含むシステム。
【請求項１３】
前記荷物処理指示が、前記複数の配達車両のうちから割り当てられた１つの選択車両を示し、前記選択車両は前記配達先住所においてなされる作業を担当する請求項１２記載のシステム。
【請求項１４】
前記荷物処理指示が、前記選択車両に最終的に到達する１以上の仕分けベルトを示す請求項１３記載のシステム。
【請求項１５】
前記荷物処理指示が、前記選択車両の前記複数の積込み場所から割り当てられた１つの積込み場所を示す請求項１３記載のシステム。
【請求項１６】
前記荷物走査装置が、バーコード・スキャナ、マキシコード（ＭａｘｉＣｏｄｅ）スキャナおよび無線周波数の識別タグ読出し装置のうちの１つを含む請求項１２記載のシステム。
【請求項１７】
複数の仕分けベルトであって、前記複数の荷物が前記複数の配達車両に向かうように構成され、前記荷物処理指示は前記選択車両に最終的に到達する１以上の前記仕分けベルトを示し、前記荷物の各々が前記荷物処理指示に従って前記選択車両に向かって移動するようになされた、複数の仕分けベルトをさらに含む請求項１２記載のシステム。
【請求項１８】
前記第２の出荷ラベルを前記荷物に貼り付けるラベル貼付装置をさらに含む請求項１２記載のシステム。
【請求項１９】
前記運行計画を生成しその運行計画を配達前積込み支援ツールに送る運行計画アプリケーションをさらに含む請求項１２記載のシステム。
【請求項２０】
前記荷物走査装置が圧縮されたマキシコード（ＭａｘｉＣｏｄｅ）記号から前記配達先住所を取り込み、前記ラベル住所は前記圧縮されたマキシコードに符号化されている請求項１２記載のシステム。
【請求項２１】
前記荷物処理指示が前記配達先住所と（ａ）サービス・レベル識別記号および／または（ｂ）指定時間によって決定される請求項１２記載のシステム。
【請求項２２】
前記配達先住所を受け取り前記配達先住所が有効な住所でないときエラー・コードを返す住所検証システムをさらに含む請求項１２記載の方法。
【請求項２３】
前記配達前積込み支援ツールが、前記住所検証システムから前記エラー・コードを受け取ったときに、前記配達先住所を前記第１の出荷ラベル上のラベルアドレスと比較して調べるようにユーザに促す請求項２２記載のシステム。
【請求項２４】
前記荷物走査装置から前記配達先住所を取得し、前記配達先住所の中の圧縮データをいずれも元に戻し、前記配達先アドレスを元に戻した形式で前記配達前積込み支援ツールに渡す、圧縮された住所を元に戻すルーチンを含む請求項１２記載のシステム。
【請求項２５】
前記配達前積込み支援ツールが、前記複数の配達車両の各々に割り当てられた作業を監視する請求項１２記載のシステム。
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
基端と末端とを有するカテーテルと、
前記カテーテルと流体連通し、基端と前記カテーテルの末端に連結された末端とを有するカテーテルアダプターであって、そのカテーテルアダプターは、液体連通するサイドポートを含むカテーテルアダプターを含み、
基端と前記カテーテルの内側に配置された末端とを有するイントロデューサニードルであって、前記基端に隣接して切欠が形成されると共に、前記切欠の基端と前記イントロデューサニードルの末端との間の距離が設定され前記イントロデューサニードルと、
基端と前記ニードルの前記基端に接続された末端とを有するニードルハブと、
内部に空間が形成され、カテーテルアダプター内に配されると共に前記サイドポートの基端に置かれた弾性を有する隔壁と、を含み、
前記隔壁は前記距離より大きな長さを有することを特徴とするカテーテルとイントロデューサニードルのアッセンブリ。
【請求項２】
前記空隙は、円筒状の形状を有することを特徴とする請求項１に記載のカテーテルとイントロデューサニードルのアッセンブリ。
【請求項３】
前記空隙は、テーパー形状を有することを特徴とすることを特徴とする請求項１に記載のカテーテルとイントロデューサニードルのアッセンブリ。
【請求項４】
前記テーパー形状は、末端方向において増大するテーパーを有する少なくとも一つの部分を有することを特徴とする請求項３に記載のカテーテルとイントロデューサニードルのアッセンブリ。
【請求項５】
前記テーパー形状は、末端方向において減少するテーパーを有する少なくとも一つの部分を有することを特徴とする請求項３に記載のカテーテルとイントロデューサニードルのアッセンブリ。
【請求項６】
前記空隙内にゲルを有することを特徴とする請求項１に記載のカテーテルとイントロデューサニードルのアッセンブリ。
【請求項７】
前記空隙内に滑らかな物質を有することを特徴とする請求項１に記載のカテーテルとイントロデューサニードルのアッセンブリ。
【請求項８】
前記隔壁は、基端側の中実部分と末端側の中実部分との間に空隙が形成されるように、基端側の中実部分と末端側の中実部分とを形成し、末端側の中実部分は、前記距離より長いことを特徴とする請求項１に記載のカテーテルとイントロデューサニードルのアッセンブリ。
【請求項９】
前記末端側の中実部分は、カテーテルアダプターによって径方向に圧縮されることを特徴とする請求項８に記載のカテーテルとイントロデューサニードルのアッセンブリ。
【請求項１０】
隔壁ホルダーと、
前記隔壁ホルダー内に配され、隔壁基端部と隔壁末端部とを含むと共に前記隔壁基端部と前記隔壁末端部との間に空隙を形成してなり、前記隔壁基端部は、隔壁末端部より分離した部分であることを特徴とする隔壁アッセンブリ。
【請求項１１】
前記空隙は、円筒形状をなしていることを特徴とする請求項１０に記載の隔壁アッセンブリ。
【請求項１２】
前記空隙は、テーパー形状を有することを特徴とする請求項１０に記載の隔壁アッセンブリ。
【請求項１３】
前記テーパー形状は、末端方向において増大するテーパーを有する少なくとも一つの部分を有することを特徴とする請求項１０に記載の隔壁アッセンブリ。
【請求項１４】
前記テーパー形状は、末端方向において減少するテーパーを有する少なくとも一つの部分を有することを特徴とする請求項１０に記載の隔壁アッセンブリ。
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
圧力下にある流体源と、
一回投与量の流体を送出するためのボーラスフローパスと、
前記ボーラスフローパスと流体連通し、圧力下で、膨張し、流体を貯蔵し、流体を供給するように構成されている大容量ボーラスリザーバ、および
流体を前記リザーバから押し出す努力を必要とせず、かつ、患者が始動させると、患者がさらにアクションすることなしで、流体が前記リザーバから患者へ流れ出すことが可能になるように構成されている、流体を前記リザーバから放出するための、患者が操作可能なアクチュエータとを含む、患者に流体を供給する装置。
【請求項２】
連続しかつほぼ一定の流体流量を供給する前記流体源からの連続フローパスを含み、前記連続フローパスおよび前記ボーラスフローパスは、前記流体源と流体連通している、請求項１に記載の装置。
【請求項３】
前記連続フローパスを通って患者へ入る前記流量を設定する流量調節器を含む、請求項２に記載の装置。
【請求項４】
前記パスはバルブから下流で単一パスに集まる、請求項２に記載の装置。
【請求項５】
前記連続フロ−パスは調整可能な流量調節器をさらに含む、請求項２に記載のアクチュエータ。
【請求項６】
前記連続フローパスは、１時間当たり流体１〜５ｃｃに手動調整するための調整可能な流量調節器をさらに含む、請求項２に記載の装置。
【請求項７】
前記ボーラスフローパスを通る前記流体流量を設定する流量調節器を含む、請求項１に記載の装置。
【請求項８】
前記ボーラスリザーバは、要求に応じて制御された流量で患者に送出されるように、ボーラス容量の流体を、圧力下で保持するためのエラストマーチャンバを含む、請求項１に記載の装置。
【請求項９】
前記リザーバは、流体を患者に送出する圧力を供給するばねを含む、請求項１に記載の装置。
【請求項１０】
前記リザーバは、チャンバおよび背面板を押しつけるばねを含んで、流体を圧力下で前記チャンバ内に維持するようにする、請求項１に記載の装置。
【請求項１１】
前記アクチュエータは、前記チャンバから下流にある患者が操作可能なバルブを含む、請求項１に記載の装置。
【請求項１２】
圧力下にある流体源と、
前記流体源と流体連通する大容量ボーラスチャンバと、
流体を前記チャンバから押し出すプランジャ、および
膨張して、流体を収容し、かつ、流体を患者に定量供給するよう構成されている、前記チャンバから下流にあり、前記プランジャによって前記チャンバから押し出された流体を蓄積するアキュミュレータとを含む、患者に流体を供給する装置。
【請求項１３】
流体の逆流がシリンジから上流に移動するのを止めるロックアウトオリフィスをさらに含む、請求項１２に記載の装置。
【請求項１４】
前記アキュミュレータと前記ボーラスチャンバの間にある、患者に対して、連続しかつほぼ一定の流量で下流への流体の流れを可能にし、流体の流れを前記ボーラスチャンバへと運ぶためのバルブをさらに含む、請求項１２に記載の装置。
【請求項１５】
前記アキュミュレータと前記ボーラスチャンバの間にある逆流防止弁であって、該逆流防止弁に所定の圧力が加わるまでは開かず、前記アキュミュレータから上流への流体の流れを止める逆流防止弁をさらに含む、請求項１２に記載の装置。
【請求項１６】
前記所定の圧力は、前記ボーラスチャンバを満たす流体圧力より大きい、請求項１５に記載の装置。
【請求項１７】
前記アキュミュレータから下流にある流量制御管をさらに含む、請求項１２に記載の装置。
【請求項１８】
前記アキュミュレータは、前記エラストマーチャンバの膨張を制限する容器内に収容される、請求項１２に記載の装置。
【請求項１９】
前記ボーラスチャンバは、約１０ｃｃの流体を保持することができる、請求項１２に記載の装置。
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
基端と末端とを有する針ハブと、
該ハブの末端に固定された針カニューレと、
基端部分と末端部分を有し、前記基端部分は前記針ハブと回転可能に接続される針シールドベースと、
該針シールドベースの前記末端部分に連結され、針係合部材を含む別体のロック組み立て体とを具える針シールド組み立て品であって、
前記針シールドベースと前記ロック組み立て体の少なくとも一方は前記針カニューレの少なくとも一部を収容するためのキャビティを含むことを特徴とする針シールド組み立て品。
【請求項２】
前記ロック組み立て体は第１キャビティを含むキャップを具え、前記針係合部材は前記第１キャビティ内に伸びていることを特徴とする請求項１に記載の針シールド組み立て品。
【請求項３】
前記針シールドベースの末端部分は第２キャビティを有するシールド部分を含み、前記第１キャビティ及び第２キャビティは隣接していることを特徴とする請求項２に記載の針シールド組み立て品。
【請求項４】
前記針シールドベースの前記シールド部分は開口した末端を有し、前記キャップは前記シールド部分の前記開口した末端と接続する開口した基端を有することを特徴とする請求項３に記載の針シールド組み立て品。
【請求項５】
前記キャップは閉じた末端を有することを特徴とする請求項３に記載の針シールド組み立て品。
【請求項６】
前記針シールドベース及び前記ロック組み立て体は、前記針シールドベースと前記ロック組み立て体とを接続する補完的なロック部材を含むことを特徴とする請求項１に記載の針シールド組み立て品。
【請求項７】
前記ロック組み立て体は細長いレールを含み、前記針係合部材は前記レールと接続されることを特徴とする請求項６に記載の針シールド組み立て品。
【請求項８】
前記針シールドベースは細長いキャビティを含み、前記レールは前記細長いキャビティの中に配置されることを特徴とする請求項６に記載の針シールド組み立て品。
【請求項９】
前記針シールドベースの前記末端部分は細長いレールを含み、前記ロック組み立て体は細長いキャビティを形成する本体を含み、該本体は前記細長いレールと接続されることを特徴とする請求項６に記載の針シールド組み立て品。
【請求項１０】
前記針シールドベースの前記末端部分は細長いレールを含み、前記ロック組み立て体は細長いキャビティを形成する本体を含み、前記本体は前記細長いレールと接続されることを特徴とする請求項１に記載の針シールド組み立て品。
【請求項１１】
前記針シールドベースは細長いキャビティを含み、前記細長いキャビティ内に前記ロック組み立て体の少なくとも一部が配置されていることを特徴とする請求項１に記載の針シールド組み立て品。
【請求項１２】
前記ロック組み立て体は前記針シールドベースと前記ロック組み立て体を前記針ハブにロックするための手段を含むことを特徴とする請求項１１に記載の針シールド組み立て品。
【手続補正書】
【提出日】平成18年10月23日(2006.10.23)
【手続補正１】
【補正対象書類名】明細書
【補正対象項目名】請求項２
【補正方法】変更
【補正の内容】
【請求項２】  前記決定する工程は、さらに、前記第１及び第２のサポート処理の両方において、前記要求に従う処理が完了したかどうかを判断することを含むことを特徴とする請求項１に記載の方法。
【手続補正２】
【補正対象書類名】明細書
【補正対象項目名】請求項６
【補正方法】変更
【補正の内容】
【請求項６】  前記第１及び第２のサポート処理各々は、前記メッセージとともに前記要求のその一部が実行されたものの結果を転送することを特徴とする請求項５に記載の方法。
【手続補正３】
【補正対象書類名】明細書
【補正対象項目名】請求項９
【補正方法】変更
【補正の内容】
【請求項９】  前記第１のサポート処理は前記情報を、複数のサポート処理に転送し、前記複数のサポート処理の１つが前記第２のサポート処理であり、前記複数のサポート処理各々は前記第１のサポート処理に対応する指示子を受信し、前記複数のサポート処理の１つはまた、前記制御処理に対応する指示子を受信することを特徴とする請求項１に記載の方法。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  工具を加工品の上部の軌跡（Ｂ）に通し、工具の作用領域（τ）内にある加工品の材料を除去し、所望の目標表面（Ψ）を形成するため、工具を用い材料を除去して加工品の表面を加工する方法において、目標表面と工具の作用領域の間の間隔が所定の許容範囲内にある関連した領域として定義される許容範囲を最大にするため、傾斜角度と旋回角度を求め、作用領域（τ）を二つの点（Ｐ0,Ｐ2 ）で加工品の目標表面（Ψ）にコンピュータにより接触させて、これ等の点の少なくとも一方を変化させて、工具の傾斜角度と旋回角度をその軌跡上で繰り返し調整する際に、二つの点（Ｐ0,Ｐ2 ）の少なくとも一方を、これらの二つの点の間の間隔が最大になるまで変化させるか、或いは二つの点（Ｐ0,Ｐ2 ）の少なくとも一方を、許容範囲の幅が最大になるまで変化させることによって、許容範囲を最大にすることを特徴とする方法。
【請求項２】  傾斜角度と旋回角度は工具が必ず目標表面の上にあるように調整されていることを特徴とする請求項１に記載の方法。
【請求項３】  二つの点の間の間隔が最大になるまで、二つの点（Ｐ0,Ｐ2 ）の少なくとも一方を変化させることを特徴とする前記請求項のうちの１項に記載の方法。
【請求項４】  許容範囲の幅が最大になるまで二つの点（Ｐ0,Ｐ2 ）の少なくとも一方を変化させることを特徴とする請求項１または２に記載の方法。
【請求項５】  二つの点の一方を固定維持し、他方を変化させることを特徴とする前記請求項のうちの１項に記載の方法。
【請求項６】  目標表面上の多数の点に対して最大の幅の許容範囲を定め、各点に対して許容範囲の直径が最大となる方向を定め、軌跡（Ｂ）をこれ等の方向にほぼ垂直に選ぶことを特徴とする前記請求項のうちの１項に記載の方法。
【請求項７】  軌跡の間の間隔は許容範囲の幅に基づき選択されることを特徴とする前記請求項のうちの１項に記載の方法。
【請求項８】  工具を加工品の上部の軌跡（Ｂ）に通し、工具の作用領域（τ）内にある加工品の材料を除去し、所望の目標表面（Ψ）を形成するため、工具を用い材料を除去して加工品の表面を加工する方法において、目標表面と工具の作用領域の間の間隔が所定の許容範囲内にある関連した領域として定義される許容範囲の幅が傾斜角度と旋回角度を計算上変化させて最大になるように、工具の傾斜角度と旋回角度をその軌跡上で繰り返し調整することを特徴とする方法。
【請求項９】  工具を加工品の上部の軌跡（Ｂ）に通し、工具の作用領域（τ）内にある加工品の材料を除去し、所望の目標表面（Ψ）を形成するため、工具を用い材料を除去して加工品の表面を加工する方法において、軌跡上の多数の点に対して各点で、その時の点の湾曲、湾曲微係数および捩じれが作用曲線のそれぞれに一致することにより定義される目標表面内にある合わせ曲線（ｃ(t))を求めて、工具の傾斜角度と旋回角度をその軌跡上で繰り返し調整し、その場合、作用曲線が工具の作用領域（τ）上のそれ等の点の集合であることを特徴とする方法。
【請求項１０】  作用曲線は円であることを特徴とする請求項９に記載の方法。
【手続補正書】
【提出日】平成18年10月13日(2006.10.13)
【手続補正１】
【補正対象書類名】明細書
【補正対象項目名】特許請求の範囲
【補正方法】変更
【補正の内容】
【特許請求の範囲】
【請求項１】  マイクロプロセッサに供給電圧およびクロックを印加するステップと、
前記マイクロプロセッサの消費電力をモニタするステップと、
前記モニタされた消費電力が、あらかじめ定められた範囲の値内にあるか否かを決定するステップと、
前記決定に応答して、前記供給電圧および前記クロックの周波数を変化させるステップであって、前記モニタされた消費電力が前記あらかじめ定められた範囲の値を超過していることに応答して、前記供給電圧および前記クロックの前記周波数を減少させるステップと、前記モニタされた消費電力が前記あらかじめ定められた範囲の値未満であることに応答して、前記供給電圧および前記クロックの前記周波数を増加させるステップとを含んでなるステップと、
を含んでなる方法。
【請求項２】  マイクロプロセッサに供給電圧を印加するための電圧源と、
前記マイクロプロセッサにクロックを印加するためのクロック源と、
前記マイクロプロセッサの消費電力をモニタするための電力モニタと、
前記モニタされた消費電力が、あらかじめ定められた範囲の値内にあるか否かを決定して、前記モニタされた消費電力が前記あらかじめ定められた範囲の値を超過していることに応答して、前記供給電圧および前記クロックの周波数を減少させ、また、前記モニタされた消費電力が前記あらかじめ定められた範囲の値未満であることに応答して、前記供給電圧および前記クロックの前記周波数を増加させるための制御ロジックと、
を備えてなる装置。
【請求項３】  マイクロプロセッサに供給電圧およびクロックを印加するステップと、
前記マイクロプロセッサの温度を測定するステップと、
前記測定された温度が、あらかじめ定められた範囲の値内にあるか否かを決定するステップと、
前記決定に応答して、前記供給電圧および前記クロックの周波数を変化させるステップであって、前記測定された温度が前記あらかじめ定められた範囲の値を超過していることに応答して、前記供給電圧および前記クロックの前記周波数を減少させるステップと、前記測定された温度が前記あらかじめ定められた範囲の値未満であることに応答して、前記供給電圧および前記クロックの前記周波数を増加させるステップとを含んでなるステップと、
を含んでなる方法。
【請求項４】  マイクロプロセッサに供給電圧を印加するための電圧源と、
前記マイクロプロセッサにクロックを印加するためのクロック源と、
前記マイクロプロセッサの温度を測定するための温度センサと、
前記測定された温度が、あらかじめ定められた範囲の値内にあるか否かを決定して、前記測定された温度が前記あらかじめ定められた範囲の値を超過していることに応答して、前記供給電圧および前記クロックの周波数を減少させ、また、前記測定された温度が、前記あらかじめ定められた範囲の値未満であることに応答して、前記供給電圧および前記クロックの前記周波数を増加させるための制御ロジックと、
を備えてなる装置。
【手続補正書】
【提出日】平成18年10月27日(2006.10.27)
【手続補正１】
【補正対象書類名】明細書
【補正対象項目名】特許請求の範囲
【補正方法】変更
【補正の内容】
【特許請求の範囲】
【請求項１】  ピッチが２５０μｍ未満である複数のチャネルを具備する流れ場を含む、電気化学的電池用の流れ場プレート。
【請求項２】  前記チャネルの深さが８００μｍ未満であり幅が２５０μｍ未満である、請求項１記載の流れ場プレート。
【請求項３】  ランド領域で分離された１つ以上のチャネルを具備する活性領域を有し、前記ランド領域が前記活性領域の２５％未満である、請求項１記載の流れ場プレート。
【請求項４】  厚さが１ｍｍ以下である、請求項１〜３のいずれか１項に記載の流れ場プレート。
【誤訳訂正書】
【提出日】平成18年5月9日(2006.5.9)
【誤訳訂正１】
【訂正対象書類名】明細書
【訂正対象項目名】０００８
【訂正方法】変更
【訂正の内容】
【０００８】
発光体の操作は、いずれもトレードオフを伴う。典型的に、明るさを犠牲にして種々のカラーを得ている。多くの場合、発光体の寿命（半分の明るさになるまでの時間）も短縮する。駆動周波数が高くなるに連れて青−緑発光体のカラーは青に向かってシフトし、また発光体の寿命が高周波数化に伴って短縮することが知られている。例えば、４，０００ヘルツにおいて半分の明るさまでの時間は、１，０００ヘルツにおける時間の約１／４となる。
【誤訳訂正２】
【訂正対象書類名】明細書
【訂正対象項目名】００１３
【訂正方法】変更
【訂正の内容】
【００１３】
本発明によれば、低周波エンベロープを有する高周波キャリアによってＥＬランプを駆動する。即ち、高周波信号（例えば、＞１，０００ヘルツ）のバーストでランプを駆動し、低周波数（例えば、３０ないし１，０００ヘルツ）でそのバーストが反復する。このような信号を図２に示す。例えば、高周波信号２４のサイクル２１および２２を、周期タウ（τ）毎にＥＬランプに印加する。ここで、τは低周波信号の周期である。その結果、濃い青色に向かう明確なシフト、および明るさの僅かな減少が生ずる。エンベロープ２６は、約５０パーセント未満の低デューティ・サイクルを有する。
【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  コンピュータが生成した３次元画像をシェーディングする方法であって、
画像内の各オブジェクトを一組の平らなポリゴンによって表すステップと、
各ポリゴンについて、ポリゴンの頂点を定義する一組の頂点データを、その面の方向を定義するデータとともに与えるステップと、
視点に対して垂直でかつポリゴンの方を向いている面を定義するデータと等価である辺のデータを、頂点データから計算するステップと、
辺のデータから各辺について辺の遷移を決定し、各辺について辺マスクを導くステップと、
ポリゴンが位置する画像の部分を見るのに用いられる各ピクセルについて、各辺の辺マスクから、各面のための深さの値を導くステップと、
当該ピクセルにおいてポリゴンが見えることを、深さの値が示しているときに、そのピクセルをシェーディングするステップと、
を具備する方法。
【請求項２】  その深さの値が正であり、かつ、各エッジ面が垂直なピクセルにおいて正の深さの値を有するときに、そのピクセルにおいてポリゴン面が見えるものである、請求項１に記載の方法。
【請求項３】  辺マスクは、ピクセルのラインごとに１ラインずつ導かれるものである、請求項１に記載の方法。
【請求項４】  辺マスクは、画像の多数の長方形の下位領域のそれぞれについて１ラインずつ導かれるものである、請求項３に記載の方法。
【請求項５】  辺マスクは各面ごとに導かれ、かつ、その面について辺マスクから深さマスクを導くステップを含むものである、請求項３又は４に記載の方法。
【請求項６】  コンピュータが生成した３次元画像をシェーディングするための装置であって、
画像内の各オブジェクトを一組の平らなポリゴンによって表す手段と、
各ポリゴンについて、ポリゴンの頂点を定義する一組の頂点データを、その面の方向を定義するデータとともに与える手段と、
視点に対して垂直でかつポリゴンの方を向いている面を定義するデータと等価である辺のデータを、頂点データから計算する手段と、
前記辺のデータから辺の遷移を決定する手段と、
各辺について、辺の遷移から辺マスクを導く手段と、
ポリゴンが位置する画像の部分を見るのに用いられる各ピクセルについて、各面のための深さのデータを導く手段と、
当該ピクセルにおいてポリゴンが見えることを、深さの値が示しているときに、そのピクセルをシェーディングする手段と、
を具備する装置。
【請求項７】  その深さの値が正であり、かつ、囲んでいる各エッジ面が垂直なピクセルにおいて正の深さの値を有するときに、そのピクセルにおいてポリゴン面が見えるものである、請求項６に記載の装置。
【請求項８】  辺マスクは、画像内のピクセルのラインごとに１ラインずつ導かれるものである、請求項７に記載の装置。
【請求項９】  辺マスクは、画像の多数の長方形の下位領域のそれぞれについてラインごとに導かれるものである、請求項８に記載の装置。
【請求項１０】  辺マスクは面を定義する各辺ごとに導かれ、かつ、その面について辺マスクから深さマスクを導く手段を含むものである、請求項８又は９に記載の装置。
【請求項１１】  ポリゴンがシェーディングされている画像の境界と交差するときに、辺での切り落としを必要としないものである、請求項１乃至５のうちいずれか一項に記載の方法。
【手続補正書】
【提出日】平成18年11月6日(2006.11.6)
【手続補正１】
【補正対象書類名】明細書
【補正対象項目名】特許請求の範囲
【補正方法】変更
【補正の内容】
【特許請求の範囲】
【請求項１】  コンピュータによる３次元シェーディング及びテクスチャリング・システムにおける半透明オブジェクトのデータを自動的にソートする方法であって、
ａ）シェーディング及びテクスチャリングされるオブジェクトのリストを記憶するステップと、
ｂ）リスト内のオブジェクトが画像平面からみて、現在最も深いオブジェクトよりもさらに遠いかどうかを、各オブジェクトについて各ピクセルにおいて順に決定するステップと、
ｃ）前記リスト内の少なくとも最も深いオブジェクトについてのデータを記憶するステップと、
ｄ）最も深いオブジェクトについてのデータをシェーディングし、テクスチャリングし、そして記憶するステップと、
ｅ）前記リストから最も深いオブジェクトをディスカードするステップと、
ｆ）前記リスト内のすべてのオブジェクトがシェーディング及びテクスチャリングされるまで、ｂ）、ｃ）、ｄ）、ｅ）のステップを繰り返すステップと、
を含むことを特徴とする方法。
【請求項２】  シェーディング及びテクスチャリングされる前記画像を、まず複数の小領域に分割し、それぞれの小領域についてソートを行う、請求項１に記載の方法。
【請求項３】  前記ソートは、各小領域について順に行うものである、請求項２に記載の方法。
【請求項４】  前記各小領域は、複数のピクセルを含んでおり、そして、複数のピクセルはパラレルに記憶される、請求項２又は３に記載の方法。
【請求項５】  前記ステップｃ）は、前記リスト内で２番目に深いオブジェクトについてのデータを記憶することを含み、前記ステップｄ）は、前記リスト内で２番目に深いオブジェクトについてのデータをシェーディングし、テクスチャリングしそして記憶するステップを含んでいる、請求項１乃至４のうちいずれか一項に記載の方法。
【請求項６】  前記ステップｃ）は、前記リスト内で次に深いオブジェクトについてのデータを記憶することを含み、前記ステップｄ）は、前記リスト内で次に深いオブジェクトについてのデータをシェーディングし、テクスチャリングしそして記憶するステップを含んでいる、請求項５に記載の方法。
【請求項７】  コンピュータによる３次元シェーディング及びテクスチャリング・システムにおける半透明オブジェクトのデータを自動的にソートする装置であって、
ａ）シェーディング及びテクスチャリングされるオブジェクトのリストを記憶する手段と、
ｂ）リスト内のオブジェクトが画像平面からみて、現在最も深いオブジェクトよりもさらに遠いかどうかを、各オブジェクトについて各ピクセルにおいて順に決定する手段と、
ｃ）前記リスト内の少なくとも最も深いオブジェクトについてのデータを記憶する手段と、
ｄ）最も深いオブジェクトをシェーディングし、テクスチャリングする手段と、
ｅ）前記リストから最も深いオブジェクトをディスカードする手段と、
を含むことを特徴とする装置。
【請求項８】  シェーディング及びテクスチャリングされる前記画像を、まず複数の小領域に分割し、それぞれの小領域についてソートを行う、請求項７に記載の装置。
【請求項９】  前記ソートは、各小領域について順に行うものである、請求項７に記載の装置。
【請求項１０】  前記各小領域は複数のピクセルを含んでおり、前記手段ｂ）は、リスト内のオブジェクトが画像平面からみて現在最も深いオブジェクトよりもさらに遠いかどうかを決定する複数の手段を含んでおり、これにより複数のピクセルを並列して処理できるようにした、請求項８又は９に記載の装置。
【請求項１１】  前記リスト内で次に深いオブジェクトについてのデータを記憶する手段と、前記リスト内で次に深いオブジェクトについてのデータをシェーディングし、テクスチャリングしそして記憶する手段を含んでいる、請求項７乃至１０のうちいずれか一項に記載の装置。
【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  標的システムの書込バッファによるデータ最適化動作と並行してオブジェクト情報を維持するための方法であって、
前記書込バッファによるデータ最適化動作を検出するステップと、
前記データ最適化動作に関連する複数のデータ最適化属性を捕獲するステップと、
前記複数のデータ最適化属性をストアするステップとを含む、方法。
【請求項２】  前記標的システムは、システムメモリとマイクロコントローラとを含み、前記データ最適化動作を検出するステップは、
前記システムメモリと前記マイクロコントローラとの間に結合されたシステムバスの併合信号を監視するステップを含む、請求項１に記載の方法。
【請求項３】  前記書込バッファの書込併合信号と読取併合信号とから前記併合信号を生成するステップをさらに含む、請求項２に記載の方法。
【請求項４】  前記標的システムは、システムメモリとマイクロコントローラとを含み、前記捕獲するステップは、
前記複数のデータ最適化属性を提供するオブジェクト情報信号を生成するステップを含む、請求項１に記載の方法。
【請求項５】  前記捕獲するステップは、書込バッファ内でオブジェクト情報フラグを提供するステップを含む、請求項１に記載の方法。
【請求項６】  前記標的システムは、デバッグポートを有するマイクロコントローラを含み、前記ストアするステップは、
前記複数のデータ最適化属性を前記デバッグポートの複数のトレースピンによって保持するステップを含む、請求項１に記載の方法。
【請求項７】  前記標的システムは、デバッグポートを有するマイクロコントローラを含み、前記デバッグポートは標的システムを外部のトレース捕獲装備に接続し、前記ストアするステップは、
前記複数のデータ最適化属性を前記外部のトレース捕獲装備のメモリ内にストアするステップを含む、請求項１に記載の方法。
【請求項８】  前記標的システムは、バス監視装置に結合されたシステムバスを有するマイクロコントローラを含み、前記ストアするステップは、
前記複数のデータ最適化属性を前記バス監視装置のメモリ内にストアするステップを含む、請求項１に記載の方法。
【請求項９】  書込バッファによるデータ最適化動作と並行してオブジェクト情報を維持するためのデバッギング環境であって、
標的システムを含み、前記標的システムは
マイクロコントローラを含み、前記マイクロコントローラは
実行ユニットと、
実行ユニットに結合されてデータ最適化動作を行なう書込バッファと、
前記データ最適化動作に関連する複数のデータ最適化属性を提供するオブジェクト情報信号を生成するための信号生成論理と、
デバッグ装備と通信するためのデバッグポートとを含み、前記標的システムはさらに
システムメモリと、
前記マイクロコントローラを前記システムメモリに結合するシステムバスとを含み、前記システムバスは
前記データ最適化動作を検出するための併合信号線を含み、前記デバッギング環境はさらに
前記システムバスの併合信号線に結合されたバス監視装置と、
前記バス監視装置に結合されて、前記マイクロコントローラによる複数のデータ最適化属性の捕獲をトリガする捕獲信号線、とを含む、デバッギング環境。
【請求項１０】  前記デバッグポートに結合されて前記複数のデータ最適化属性をストアするデバッギング装備をさらに含む、請求項９に記載のデバッギング環境。
【請求項１１】  前記デバッギング装備はトレース捕獲装備を含む、請求項１０に記載のデバッギング環境。
【請求項１２】  前記デバッギング装備は、前記複数のデータ最適化属性から、最適化前の書込オブジェクト値を再構築するためのデコード論理を含む、請求項１０に記載のデバッギング環境。
【請求項１３】  前記バス監視装置は、前記複数のデータ最適化属性から、最適化前の書込オブジェクト値を再構築するためのデコード論理を含む、請求項９に記載のデバッギング環境。
【請求項１４】  前記マイクロコントローラは、前記デバッグポートに結合されて前記複数のデータ最適化属性をストアするトレースキャッシュをさらに含む、請求項９に記載のデバッギング環境。
【請求項１５】  前記書込バッファは、データ最適化動作を行なうよう構成される、請求項９に記載のデバッギング環境。
【請求項１６】  標的システムに対するオブジェクト情報のデバッギング方法であって、前記標的システムは、データ最適化動作を行なうための書込バッファを含み、前記標的システムは、前記データ最適化動作に関連する複数のデータ最適化属性を提供するオブジェクト情報信号を生成し、前記方法は、
前記オブジェクト情報信号から前記複数のデータ最適化属性を抽出するステップと、
前記複数のデータ最適化属性を処理するステップとを含む、方法。
【請求項１７】  前記抽出するステップは、前記標的システムに接続されたデバッギング装備によって行なわれる、請求項１６に記載の方法。
【請求項１８】  前記抽出するステップは、前記標的システムのシステムバスに結合されたバス監視装置によって行なわれる、請求項１６に記載の方法。
【請求項１９】  前記複数のデータ最適化属性は、オブジェクトサイズ情報を含む、請求項１６に記載の方法。
【請求項２０】  前記処理するステップは、前記複数のデータ最適化属性から、最適化前の書込オブジェクト値を再構築するステップを含む、請求項１６に記載の方法。
【請求項２１】  書込バッファによるデータ最適化動作と並行してオブジェクト情報を維持するためのデバッギング環境であって、
書込バッファによるデータ最適化動作を検出するための手段と、
前記データ最適化動作に関連する複数のデータ最適化属性を捕獲するための手段と、
前記複数の最適化属性をストアするための手段とを含む、デバッギング環境。
【請求項２２】  前記複数のデータ最適化属性を抽出するための手段と、
前記複数のデータ最適化属性を処理するための手段とをさらに含む、請求項２１に記載のデバッギング環境。
【手続補正書】
【提出日】平成18年8月29日(2006.8.29)
【手続補正１】
【補正対象書類名】明細書
【補正対象項目名】特許請求の範囲
【補正方法】変更
【補正の内容】
【特許請求の範囲】
【請求項１】  コンピュータ・プログラムによって実行される
（ａ）来るべきイベントに関連する情報から当該来るべきイベントを記述する複数の用語を検索する段階と（２５０，３２０）、
（ｂ）前記用語に基づいて問い合わせを自律的に作成するソフトウェア・エージェントに前記用語を伝達する段階と（５２１，５４０）、
（ｃ）前記問い合わせを使って情報のネットワークに問い合わせる段階と（２７０，２７５）、
（ｄ）前記来るべきイベントに関連する情報を、前記問い合わせからの情報によって更新する段階とを含む、情報の要約を作成するための方法であって、
前記更新する段階は、情報の要約が以前に作成されているときは問い合わせから得られる情報を追加し、情報の要約がまだ作成されていないときは情報の要約を作成するものであり（２７０，２７５）、
前記イベントよりも前に前記情報の要約を確立し又は更新するようにされている、情報の要約を作成するための方法。
【請求項２】  前記問い合わせを作成するために、所定の基準に基づいて前記用語を構文解析する段階を含むことを特徴とする、請求項１に記載の情報の要約を作成するための方法。
【請求項３】  現在のユーザーの入力に基づいてシステムをダイナミックに構成するために、システムに利用される定数を提供する段階を含むことを特徴とする、請求項１に記載の情報の要約を作成するための方法。
【請求項４】  ミーティング規準のとの関連性に基づいて結果をランク付けする段階を含むことを特徴とする、請求項１に記載の情報の要約を作成するための方法。
【請求項５】  ミーティング日付の近傍を、情報の要約のためのフィルター装置として利用する段階を含むことを特徴とする、請求項１に記載の情報の要約を作成するための方法。
【請求項６】  関連情報の位置を強化するために、パターン認識する段階を含むことを特徴とする、請求項１に記載の情報の要約を作成するための方法。
【請求項７】  関連情報を入手するために、インターネットに問い合わせするためのサポートを含むことを特徴とする、請求項１に記載の情報の要約を作成するための方法。
【請求項８】  特定のサーチエンジンに対する問い合わせを最適化する段階を含むことを特徴とする、請求項７に記載の情報の要約を作成するための方法。
【請求項９】  ミーティング情報の更新に応えて、前記更新に関連する追加要約情報を入手する段階を含むことを特徴とする、請求項１に記載の情報の要約を作成するための方法。
【請求項１０】  （ａ）プロセッサ（１１０）と、
（ｂ）前記プロセッサ（１１０）の制御の下に情報を記憶するメモリ（１１４）と、
（ｃ）来るべきイベントを記述する複数の用語を検索するロジックと（２５０，３２０）、
（ｄ）前記用語に基づいて問い合わせを自律的に作成するソフトウェア・エージェントへ前記用語を伝達するロジックと（５２１，５４０）、
（ｅ）前記問い合わせを利用して、情報のネットワークに問い合わせるロジックと（２７０，２７５）、
（ｆ）前記問い合わせからの情報により、来るべきイベントに関連する情報を更新するロジックとを備え（２７０，２７５）、
前記更新するロジックは、情報の要約が以前に作成されているときは問い合わせから得られる情報を追加し、情報の要約がまだ作成されていないときは情報の要約を作成するようにされ、
前記イベントよりも前に前記情報の要約を確立し又は更新するようにされている、情報の要約を作成するための装置。
【請求項１１】  （ａ）来るべきイベントに関連する情報から当該来るべきイベントを記述する複数の用語を検索するコードセグメントと（２５０，３２０）、
（ｂ）前記用語に基づいて問い合わせを自律的に作成するソフトウェア・エージェントに前記用語を伝達するコードセグメントと（５２１，５４０）、
（ｃ）前記問い合わせを利用して、情報のネットワークに問い合わせるコードセグメントと（２７０，２７５）、
（ｄ）前記問い合わせからの情報により、来るべきイベントに関連する情報を更新するコードセグメントとを備え、
前記更新は、情報の要約が以前に作成されているときは問い合わせから得られる情報を追加し、情報の要約がまだ作成されていないときは情報の要約を作成するようにされており（２７０，２７５）、
前記情報の要約は、前記イベントよりも前に確立され又は更新されるようにされている、
コンピュータ読み取り可能な媒体に記録された、情報の要約を作成するためのコンピュータ・プログラム。
【請求項１２】  前記問い合わせを作成するために、所定の基準に基づいて前記用語を構文解析するロジックを含んでいる、請求項１１に記載のコンピュータ・プログラム。
【請求項１３】  現在のユーザーの入力に基づいてシステムをダイナミックに構成するために、システムに利用される定数を修正するロジックを含んでいる、請求項１１に記載のコンピュータ・プログラム。
【請求項１４】  ミーティング規準との関連性に基づいて結果をランク付けするロジックを含んでいる、請求項１１に記載のコンピュータ・プログラム。
【請求項１５】  ミーティング日付の近傍を、情報の要約のためのフィルター装置として利用するロジックを含んでいる、請求項１１に記載のコンピュータ・プログラム。
【請求項１６】  関連情報の位置を強化するために、パターン認識するロジックを含んでいる、請求項１１に記載のコンピュータ・プログラム。
【請求項１７】  関連情報を入手するために、インターネットに問い合わせするロジックを含んでいる、請求項１１に記載のコンピュータ・プログラム。
【請求項１８】  特定のサーチエンジンに対する問い合わせを最適化するロジックを含んでいる、請求項１７に記載のコンピュータ・プログラム。
【請求項１９】  ミーティング情報の更新に応えて、前記更新に関連する追加要約情報を入手するロジックを含んでいる、請求項１１に記載のコンピュータ・プログラム。
【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  コンピュータが生成した３次元画像をシェーディングする方法であって、
画像内の各オブジェクトを一組のポリゴンとして表すステップと、
画像が表示される画像面を複数の長方形領域に分割するステップと、
各ポリゴンの位置を定義する、辺のデータを含むデータを供給するステップと、
各ポリゴンについて、長方形領域のバウンディングボックスを定義するステップと、
前記バウンディングボックス内の各長方形領域について、その長方形領域が完全に辺の外側にあるかどうかを決定するステップと、
長方形領域が完全に辺の外側にある場合には、長方形領域の最少の組を与えるために、その長方形領域をバウンディングボックスから除外するステップと、
前記最少の組における各長方形領域内の各ピクセルについて、ポリゴンの面の画像面からの距離に対して深さの値を決定し、その面がそのピクセルにおいて見えるかどうかを決定し、この決定の結果に従ってピクセルをシェーディングするステップと、
を具備することを特徴とする方法。
【請求項２】  前記最少の組から更にタイルを除外するステップを含んでいる、請求項１に記載の方法。
【請求項３】  コンピュータが生成した３次元画像をシェーディングする装置であって、
画像内の各オブジェクトを一組のポリゴンとして表す手段（２）と、
画像が表示される画像面を複数の長方形領域に分割する手段と、
各ポリゴンの位置を定義するデータを供給する手段（４４）と、
どの長方形領域が各ポリゴンと交差するかを決定する手段（５０，４６）と、
各長方形領域内の各ピクセルについて、交差する各ポリゴンの面の画像面からの距離に対して深さの値を決定する手段と、
その面がそのピクセルにおいて見えるかどうかを決定する手段と、
この決定の結果に従ってピクセルをシェーディングする手段と、
を含み、前記どの長方形領域が各ポリゴンと交差するかを決定する手段は、各長方形領域について、それが完全に辺の外側にあるかどうかを決定するとともに、それが完全に辺の外側にある場合にはその長方形領域を除外して長方形領域の最少の組を与えることを特徴とする装置。
【請求項４】  前記最少の組から更にタイルが除外される、請求項３に記載の装置。